(57)【要約】【課題】既存の回路である開閉検出回路を利用することで部品点数の増加を抑えつつ、安価に姿勢判定機能を付加した携帯端末を提供する。【解決手段】携帯電話上部筐体１０１と携帯電話下部筐体１０２の開閉を検出する磁石１０３と磁気センサ１０５、１０６を備え、前述磁石１０３は携帯電話の姿勢に応じて動くことができる、という構成に対し、本発明に従って磁気センサ１０５、１０６を複数配置し、制御部が全てのセンサ出力から装置の姿勢を判定する。【選択図】        図１
2004172986.tif 000002
【特許請求の範囲】
【請求項１】
上部筐体と、下部筐体とがヒンジにより接続された折り畳み式の携帯端末であって、
前記上部筐体内に設けられ、前記携帯端末の姿勢の変化によって前記上部筐体内での位置を変える磁石と、
前記携帯端末の姿勢の変化に応じて変わる前記磁石の所定の位置毎に配置され、前記磁石からの磁気を検出する、前記下部筐体内に設けられた磁気検出手段と、
前記磁石の磁気を検出した磁気検出手段により前記携帯端末の姿勢を判定する制御手段と、
を有することを特徴とする携帯端末。
【請求項２】
上部筐体と、下部筐体とがヒンジで接続された折り畳み式の携帯端末であって、
上面と下面とが前記上部筐体の上面と下面と略平行な６面体からなる、前記上部筐体内の姿勢検出部材配置領域に、該６面体の対角線方向にスライドし、前記携帯端末の姿勢に応じて位置を変える磁石が配置され、
前記６面体の対角線方向の両端部にスライドした磁石からの磁気をそれぞれ検出する複数の磁気検出手段が前記下部筐体内に配置され、
前記磁石の磁気を検出した磁気検出手段により前記携帯端末の姿勢を判定する制御手段を有することを特徴とする携帯端末。
【請求項３】
前記制御手段は、
折り畳んだ際に外側となる前記上部筐体の外面側に配置した表示手段に表示する文字、または画像の表示方向を、判定した前記携帯端末の姿勢に応じて変更することを特徴とする請求項１または２記載の携帯端末。
【請求項４】
前記磁石は、
折り畳み式の携帯端末の開閉検出に用いる磁石であることを特徴とする請求項１から３の何れか一項に記載の携帯端末。
【請求項５】
上部筐体と、下部筐体とがヒンジにより接続された折り畳み式の携帯端末における姿勢検出方法であって、
前記携帯端末の姿勢の変化によって前記上部筐体内での位置を変える磁石を、前記上部筐体内に配置し、
前記携帯端末の姿勢の変化に応じて変わる前記磁石の所定の位置毎に、前記磁石からの磁気を検出する磁気検出手段を、前記下部筐体内に配置し、
前記下部筐体内に配置した前記磁気検出手段により前記磁石の磁気を検出して前記携帯端末の姿勢を判定することを特徴とする携帯端末の姿勢検出方法。
【請求項６】
上部筐体と、下部筐体とがヒンジで接続された折り畳み式の携帯端末における姿勢検出方法であって、
上面と下面とが前記上部筐体の上面と下面と略平行な６面体からなる、前記上部筐体内の姿勢検出部材配置領域に、該６面体の対角線方向にスライドし、前記携帯端末の姿勢に応じて位置を変える磁石を配置し、
前記６面体の対角線方向の両端部にスライドした磁石からの磁気をそれぞれ検出する複数の磁気検出手段を前記下部筐体内に配置し、
前記磁石の磁気を検出した磁気検出手段により前記携帯端末の姿勢を判定することを特徴とする携帯端末の姿勢検出方法。
【請求項７】
折り畳んだ際に外側となる前記上部筐体の外面側に配置した表示手段に表示する文字、または画像の表示方向を、判定した前記携帯端末の姿勢に応じて変更することを特徴とする請求項５または６記載の携帯端末の姿勢検出方法。
【請求項８】
前記磁石として、
折り畳み式の携帯端末の開閉検出用の磁石を用いることを特徴とする請求項５から７の何れか一項に記載の携帯端末の姿勢検出方法。
【発明の詳細な説明】
【０００１】
【発明の属する技術分野】
本発明は、折り畳み式の携帯端末に関し、特に携帯端末の姿勢を検出することで利用者の利便性を向上させた携帯端末、その姿勢検出方法に関する。
【０００２】
【従来の技術】
近年、携帯電話は小型多機能化が進み、小型化、操作利便性向上、及び表示視認性向上のため、ボタン部と表示部を同時に大きくできる折り畳み式の携帯電話が増加している。
【０００３】
しかしながら、折り畳み式の欠点として、開かないと表示部を確認することができない。そのため、表示部を設けた上側筐体の背面側にも表示部を設けた携帯端末が提案されている。
【０００４】
携帯端末の姿勢検出に関して開示された技術として、以下に示す特許文献１に示すものが知られている。
【０００５】
【特許文献１】
特開２０００−２５０４３４号公報
【０００６】
特許文献１としての特開２０００−２５０４３４号公報に開示された技術は、視覚表示用の情報表示手段を備える携帯型情報機器において、情報表示手段に作用する重力の方向を検出する方向検出手段と、方向検出手段の検出結果に基づいて、情報表示手段の姿勢を判定する判定手段と、判定手段の判定する情報表示手段の姿勢について予め設定される基準に従って、情報表示手段での情報の表示方向を制御する制御手段とを含むことを特徴としている。
【０００７】
【発明が解決しようとする課題】
しかしながら、開いた状態で主表示部を確認するのとは異なり、背面側の表示部を確認する場合には、携帯端末を手に取った状態のまま確認することが多く、持ち方によっては視認性が低下することも少なくない。
【０００８】
そのため、携帯電話の姿勢にあわせて表示を切り換える等の利便性向上案が考えられるが、姿勢を検知するために専用のセンサを用いるのではコスト並びに重量が増加してしまう、という問題が生じる。
【０００９】
本発明は上記事情に鑑みてなされたものであり、既存の回路である開閉検出回路を利用することで部品点数の増加を抑えつつ、安価に姿勢判定機能を付加した携帯端末、その姿勢検出方法を提供することを目的とする。
【００１０】
【課題を解決するための手段】
係る目的を達成するために請求項１記載の発明は、上部筐体と、下部筐体とがヒンジにより接続された折り畳み式の携帯端末であって、上部筐体内に設けられ、携帯端末の姿勢の変化によって上部筐体内での位置を変える磁石と、携帯端末の姿勢の変化に応じて変わる磁石の所定の位置毎に配置され、磁石からの磁気を検出する、下部筐体内に設けられた磁気検出手段と、磁石の磁気を検出した磁気検出手段により携帯端末の姿勢を判定する制御手段と、を有することを特徴とする。
【００１１】
請求項２記載の発明は、上部筐体と、下部筐体とがヒンジで接続された折り畳み式の携帯端末であって、上面と下面とが上部筐体の上面と下面と略平行な６面体からなる、上部筐体内の姿勢検出部材配置領域に、該６面体の対角線方向にスライドし、携帯端末の姿勢に応じて位置を変える磁石が配置され、６面体の対角線方向の両端部にスライドした磁石からの磁気をそれぞれ検出する複数の磁気検出手段が下部筐体内に配置され、磁石の磁気を検出した磁気検出手段により携帯端末の姿勢を判定する制御手段を有することを特徴とする。
【００１２】
請求項３記載の発明は、請求項１または２記載の発明において、制御手段は、折り畳んだ際に外側となる上部筐体の外面側に配置した表示手段に表示する文字、または画像の表示方向を、判定した携帯端末の姿勢に応じて変更することを特徴とする。
【００１３】
請求項４記載の発明は、請求項１から３の何れか一項に記載の発明において、磁石は、折り畳み式の携帯端末の開閉検出に用いる磁石であることを特徴とする。
【００１４】
請求項５記載の発明は、上部筐体と、下部筐体とがヒンジにより接続された折り畳み式の携帯端末における姿勢検出方法であって、携帯端末の姿勢の変化によって上部筐体内での位置を変える磁石を、上部筐体内に配置し、携帯端末の姿勢の変化に応じて変わる磁石の所定の位置毎に、磁石からの磁気を検出する磁気検出手段を、下部筐体内に配置し、下部筐体内に配置した磁気検出手段により磁石の磁気を検出して携帯端末の姿勢を判定することを特徴とする。
【００１５】
請求項６記載の発明は、上部筐体と、下部筐体とがヒンジで接続された折り畳み式の携帯端末における姿勢検出方法であって、上面と下面とが上部筐体の上面と下面と略平行な６面体からなる、上部筐体内の姿勢検出部材配置領域に、該６面体の対角線方向にスライドし、携帯端末の姿勢に応じて位置を変える磁石を配置し、６面体の対角線方向の両端部にスライドした磁石からの磁気をそれぞれ検出する複数の磁気検出手段を下部筐体内に配置し、磁石の磁気を検出した磁気検出手段により携帯端末の姿勢を判定することを特徴とする。
【００１６】
請求項７記載の発明は、請求項５または６記載の発明において、折り畳んだ際に外側となる上部筐体の外面側に配置した表示手段に表示する文字、または画像の表示方向を、判定した携帯端末の姿勢に応じて変更することを特徴とする。
【００１７】
請求項８記載の発明は、請求項５から７の何れか一項に記載の発明において、磁石として、折り畳み式の携帯端末の開閉検出用の磁石を用いることを特徴とする。
【００１８】
【発明の実施の形態】
次に、添付図面を参照しながら本発明の携帯端末、その姿勢検出方法に係る実施の形態を詳細に説明する。図１〜図１６を参照すると本発明の携帯端末、その姿勢検出方法に係る実施の形態が示されている。
【００１９】
本発明は、折り畳み形状の携帯電話において、開閉検出用の回路を兼用しながら装置の姿勢検出手段を加えることを特徴とする。図１に、本発明に係る折り畳み式携帯電話の姿勢検出回路の構成図を示す。
携帯電話上部筐体と携帯電話下部筐体の開閉を検出する磁石と磁気センサを備え、前述磁石は携帯電話の姿勢に応じて動くことができる、という構成に対し、本発明に従って磁気センサを複数配置し、制御部が全てのセンサ出力から装置の姿勢を判定する。これにより、最小限の部品追加と構造物追加にて装置の姿勢検出手段を得ることができる。例えばこの検出信号を用いて表示縦横切り換え、表示ＯＦＦといった細かな表示部制御が可能となり、ユーザの利便性が向上するという効果が得られる。
【００２０】
図１を参照すると、本発明の実施形態としての携帯端末における姿勢検出方式の構成図が、図２にはブロック図が示されている。携帯電話上部筐体１０１は、磁石１０３、磁石スライド部１０４を内蔵する。また、携帯電話下部筐体１０２は、磁気センサＡ（１０５）と磁気センサＢ（１０６）を内蔵し、筐体接続部１０７にて携帯電話上部筐体１０１と接続される。
【００２１】
ここで装置の姿勢が変化した場合、磁石１０３は磁石スライド部１０４内を装置姿勢に応じて移動する。磁石スライド部１０４は、３次元的に磁石１０３を移動させる構造を有し、磁気センサＡ（１０５）と磁気センサＢ（１０６）は、筐体が閉じている状態であれば磁石１０３の位置に関係なく、少なくとも必ずどちらか一方が磁石１０３の磁力を検出出来る位置に配置され、中央演算回路１１３はその出力信号をもとに筐体の開閉判断を行う。
【００２２】
磁石スライド部１０４は、図１に示されたＸ、Ｙ、Ｚ軸それぞれに平行する６面体からなる磁石配置領域１２０の対角線方向に配置され、Ｘ，Ｙ軸の値が大きくなるに従って、下に落ち込む（Ｚ軸の値が大きくなる）ように配置されている。
【００２３】
次に、中央演算回路１１３は磁気センサＡ（１０５）と磁気センサＢ（１０６）の各々の出力状態から予め定められている論理により姿勢判定を下す。これにより、従来から内蔵している開閉検出回路へ１ヶの磁気センサと磁石スライド機構を追加することにより簡単に姿勢判定をすることができ、この判定に基づきユーザの利便性を向上させる機能を搭載できるようになる、という効果が得られる。
【００２４】
以下、本実施形態の動作につき図２〜図９を参照しながら説明する。
図４のように、装置が閉じられた状態で水平に置かれている場合、磁石１０３は磁石スライド部１０４の中で最も磁気センサＢ（１０６）に近い場所に位置することになる。この時、磁気センサＢ（１０６）は磁力を感知するためハイ出力となるが、磁気センサＡ（１０５）は磁力を感知出来ないため、ロー出力となる。よって中央演算回路１１３は、図３のフローに従い磁気センサＢ（１０６）の入力判定にて筐体閉判定をし、磁気センサＡ（１０５）の入力判定を行った結果として筐体閉じ、姿勢横向き判定をする。
【００２５】
次に、図５のように、装置が閉じられた状態でアンテナを下にして横向きに置かれている場合、磁石１０３は磁石スライド部１０４の中で最も磁気センサＡ（１０５）に近い場所に位置することになる。この時、磁気センサＡ（１０５）は磁力を感知するためハイ出力となるが、磁気センサＢ（１０６）は磁力を感知出来ないため、ロー出力となる。よって中央演算回路１１３は、図３のフローに従い筐体閉じ、姿勢縦向き判定をする。
【００２６】
図６のように、装置が閉じられた状態でアンテナを上にして横向きに置かれている場合、磁石１０３は磁石スライド部１０４の中で最も磁気センサＢ（１０６）に近い場所に位置することになる。この時、磁気センサＢ（１０６）は磁力を感知するためハイ出力となるが、磁気センサＡ（１０６）は磁力を感知出来ないため、ロー出力となる。よって中央演算回路（１１３）は、図３のフローに従い筐体閉じ、姿勢横向き判定をする。
【００２７】
図７のように、装置が閉じられた状態で筐体接続部１０７を下にして置かれている場合、磁石１０３は磁石スライド部１０４の中で最も磁気センサＡ（１０５）に近い場所に位置することになる。この時、磁気センサＡ（１０５）は磁力を感知するためハイ出力となるが、磁気センサＢ（１０６）は磁力を感知出来ないため、ロー出力となる。よって中央演算回路１１３は、図３のフローに従い筐体閉じ、姿勢縦向き判定をする。
【００２８】
図８のように、装置が開いた状態では、磁石１０３の磁石スライド部１０４内位置に関係なく磁気センサＢ（１０６）、磁気センサＡ（１０５）とも磁力を感知出来ないため、共にロー出力となる。よって中央演算回路１１３は、図３のフローに従い筐体開判定をする。
【００２９】
図９のように、装置がポケット内やバック内等で中途半端な状態に置かれ、磁石１０３が磁石スライド部１０４の中間点付近で止まっている場合、磁気センサＢ（１０６）、磁気センサＡ（１０５）とも磁力を感知し、共にハイ出力となる。よって中央演算回路１１３は、図３のフローに従い筐体閉じ、姿勢縦向き判定をする。
【００３０】
これらの判定を行う事により、開閉検出回路を利用しながら装置の姿勢を検出することを可能とする。
【００３１】
このように本実施形態は、開閉検出の回路や部品を兼用しながら安価に装置の姿勢判定機能を付加する事が出来る。これにより、装置の姿勢に応じた機能追加を行うことが出来るようになり、ユーザの利便性を向上させることが出来る。
【００３２】
なお、上述した実施形態は本発明の好適な実施の形態である。但し、これに限定されるものではなく本発明の要旨を逸脱しない範囲内において種々変形実施可能である。例えば、磁石をスライドさせる磁石スライド部１０４の構成は、図４〜図９に示されるものだけではなく、図１０〜図１６に示されるものであってもよい。図１０に示された磁石スライド部１０４は、図１０に示されたＸ、Ｙ、Ｚ軸それぞれに平行する６面体からなる磁石配置領域１２０の対角線方向に配置され、ＸＹ平面の原点方向に近づくに従って、下に落ち込む（Ｚ軸の値が大きくなる）ように配置されている。図１１に示された磁石スライド部１０４は、図１１に示されたＸ、Ｙ、Ｚ軸それぞれに平行する６面体からなる磁石配置領域１２０の対角線方向に配置され、Ｘ軸の値が小さく且つＹ軸の値が大きくなるに従って、下に落ち込む（Ｚ軸の値が大きくなる）ように配置されている。図１２に示された磁石スライド部１０４は、図１２に示されたＸ、Ｙ、Ｚ軸それぞれに平行する６面体からなる磁石配置領域１２０の対角線方向に配置され、Ｘ軸の値が大きく且つＹ軸の値が小さくなるに従って、下に落ち込む（Ｚ軸の値が大きくなる）ように配置されている。また、図１３に示された磁石スライド部１０４は、Ｚ軸方向から見ると図１３に示されたＸ軸に平行に配置され、Ｘ軸の原点に近づくに従って、下に落ち込む（Ｚ軸の値が大きくなる）ように配置されている。また、図１４に示された磁石スライド部１０４は、Ｚ軸方向から見ると図１４に示されたＸ軸に平行に配置され、Ｘ軸の値が大きくなるに従って、下に落ち込む（Ｚ軸の値が大きくなる）ように配置されている。また、図１５に示された磁石スライド部１０４は、Ｚ軸方向から見ると図１５に示されたＹ軸に平行に配置され、Ｙ軸の原点に近づくに従って、下に落ち込む（Ｚ軸の値が大きくなる）ように配置されている。また、図１６に示された磁石スライド部１０４は、Ｚ軸方向から見ると図１６に示されたＹ軸に平行に配置され、Ｙ軸の値が大きくなるに従って、下に落ち込む（Ｚ軸の値が大きくなる）ように配置されている。
【００３３】
【発明の効果】
以上の説明より明らかなように本発明は、開閉検出の回路や部品を兼用しながら安価に装置の姿勢判定機能を付加する事が出来る。これにより、装置の姿勢に応じた機能追加を行うことが出来るようになり、ユーザの利便性を向上させることが出来る。
【図面の簡単な説明】
【図１】姿勢検出方法を説明するための図である。
【図２】携帯電話の回路構成を示すブロック図である。
【図３】中央演算回路の処理手順を示すフローチャートである。
【図４】姿勢検出方法を説明するための図である。
【図５】姿勢検出方法を説明するための図である。
【図６】姿勢検出方法を説明するための図である。
【図７】姿勢検出方法を説明するための図である。
【図８】姿勢検出方法を説明するための図である。
【図９】姿勢検出方法を説明するための図である。
【図１０】姿勢検出方法を説明するための図である。
【図１１】姿勢検出方法を説明するための図である。
【図１２】姿勢検出方法を説明するための図である。
【図１３】姿勢検出方法を説明するための図である。
【図１４】姿勢検出方法を説明するための図である。
【図１５】姿勢検出方法を説明するための図である。
【図１６】姿勢検出方法を説明するための図である。
【図１７】従来の構成を示す図である。
【符号の説明】
１０１  携帯電話上部筐体
１０２  携帯電話下部筐体
１０３  磁石
１０４  磁石スライド部
１０５  磁気センサＡ
１０６  磁気センサＢ
１０７  筐体接続部
１０８  背面表示部
１０９  アンテナ
１１０  無線部
１１１  ベースバンド部
１１２  メモリ
１１３  中央演算回路
１１４  表示器駆動回路
１１５  表示器
【図１】
2004172986.tif 000003
【図２】
2004172986.tif 000004
【図３】
2004172986.tif 000005
【図４】
2004172986.tif 000006
【図５】
2004172986.tif 000007
【図６】
2004172986.tif 000008
【図７】
2004172986.tif 000009
【図８】
2004172986.tif 000010
【図９】
2004172986.tif 000011
【図１０】
2004172986.tif 000012
【図１１】
2004172986.tif 000013
【図１２】
2004172986.tif 000014
【図１３】
2004172986.tif 000015
【図１４】
2004172986.tif 000016
【図１５】
2004172986.tif 000017
【図１６】
2004172986.tif 000018
【図１７】
2004172986.tif 000019